(57)【要約】【課題】両手で挟むようして保持するような直径が比較的大きい飲料容器において、手と容器本体との引っ掛かり性を向上したり、吊り下げ用ハンドルの操作性を向上する。【解決手段】容器本体１の両側面の上部に張り出し部12をそれぞれ設けると共に、張り出し部12の下面に容器本体１が手Ｈから抜け落ち防止用の手指受け部14を設ける。容器本体１の両側面の前方に手掛け用前部溝15を上下方向に配置し、容器本体１外周の両側面の後方に手掛け用後部溝16，17を上下方向に配置する。張り出し部12の上面に、ハンドル３の回動を規制するハンドル受け部25，26を形成する。両側面を両手Ｈで挟むときに、両手Ｈの拇指丘Ｊを左右一対の手掛け用前部溝15にそれぞれ掛けると共に、人指し指Ｆ２、中指Ｆ３等などの指先を、手掛け用前部溝15と前後に間隔をおいて形成される第１の手掛け用後部溝16、第２の手掛け用後部溝17にそれぞれ掛ける。【選択図】図１
2007217041.tif 000002
【特許請求の範囲】
【請求項１】
筒型の容器本体と、前記容器本体の開口に被着する栓体を有する飲料容器において、前記容器本体の両側面の上部に張り出し部をそれぞれ設けると共に、該張り出し部の下面に該容器本体が手から抜け落ち防止用の手指受け部をそれぞれ設け、前記容器本体の両側面の前方にそれぞれ手掛け用前部溝を上下方向に配置し、前記容器本体外周の両側面の後方にそれぞれ手掛け用後部溝を上下方向に配置し、一側の前記手掛け用前部溝と一側の前記手掛け用後部溝を結ぶ一側領域の上方に一側の前記張り出し部が設けられ、他側の前記手掛け用前部溝と他側の前記手掛け用後部溝を結ぶ他側領域の上方に他側の前記張り出し部が設けられることを特徴とする飲料容器。
【請求項２】
筒型の容器本体と、前記容器本体の開口に被着する栓体を有する飲料容器において、前記容器本体の両側面の前方にそれぞれ手掛け用前部溝を上下方向に配置し、前記容器本体の両側面の後方にそれぞれ手掛け用後部溝を上下方向に配置し、前記手掛け用後部溝の溝幅より前記手掛け用前部溝の溝幅を大きく形成したことを特徴とする飲料容器。
【請求項３】
前記手掛け用後部溝を前記両側面後方にそれぞれ複数前後に並設したことを特徴とする請求項１または２記載の飲料容器。
【請求項４】
左右一対のアーム部を一体に設けその両端部に軸部を有するハンドルを、前記容器本体の両側面の前記張り出し部の上方に設置した軸受け部に取り付けて、前記ハンドルで前記容器本体を吊り下げ可能に回動自在に軸支すると共に、前記張り出し部の上面に、前記ハンドルの回動を規制するハンドル受け部を形成したことを特徴とする請求項１記載の飲料容器。
【請求項５】
前記ハンドルの前記軸部から該ハンドルの先端寄りに屈曲部を設け、前記ハンドルを前方へ回動した際には、前記ハンドル屈曲部の基端側が前記容器本体の前記ハンドル受け部に当接すると共に、前記先端側が上向きとなり、前記容器本体及び栓体から離間した位置となるように配置し、前記ハンドルを後方に回動させた際に、前記屈曲部の軸部側が前記ハンドル受け部に当接すると共に、前記ハンドルの先端側が後方の下向きとなり、前記容器本体の後面側に添う位置となるように配置したことを特徴とする請求項４記載の飲料容器。
【発明の詳細な説明】
【技術分野】
【０００１】
本発明は、筒型の容器本体を手で保持する飲料容器に関するものである。
【背景技術】
【０００２】
従来、容器本体の外周に、その周りに沿う対向領域にてそれぞれグリップ用溝を凹部によって形成し、その相互間の全領域をグリップ部とする飲料容器ものが知られている。例えば容器本体そのものに凹凸を形成してその部位を把持部とし、この把持部は、引っ掛かり領域を形成して容器の脱落を防止するオーバーハング状の膨出部を有するもの（例えば特許文献１）や、容器本体の胴部の少なくとも２箇所に容器の口部から底部に向けて延びる縦長の凹部を対向して形成したもの（例えば特許文献２）などがある。
【特許文献１】特開２００２−３４７７７１号公報
【特許文献２】特開２００５−１０４４８５号公報
【発明の開示】
【発明が解決しようとする課題】
【０００３】
ところで、従来技術においては、手で握るためのグリップ用溝を凹部によって形成し、その溝を握って飲料容器を保持するものであるが、片手で握れるような直径が比較的小さい飲料容器では溝を握って飲料容器を保持することができるものの、しかしながら両手で挟んで握るような直径が比較的大きい飲料容器では溝を握っても手が滑りやすく飲料容器を保持しにくくなる。そして手が滑ってしまうと飲料容器が落下してしまうおそれもある。
【０００４】
さらに、前述のように直径が比較的大きい飲料容器にあっては、比較的重量も重くなるので吊り下げ用ハンドルを設ける必要がある。周知のような門形をなしたハンドルの基端を容器本体に回動自在に取り付けたようなものにおいては、例えば容器本体を持ち上げるために両手で容器本体を挟むようにして保持する際、ハンドルが邪魔をして手を容器本体の外周に確実に添わせることができなくなる懸念がある。
【０００５】
解決しようとする問題点は、両手で挟むようして保持するような直径が比較的大きい飲料容器において、手と容器本体との引っ掛かり性を向上する点である。さらに、そのような直径が比較的大きい飲料容器に吊り下げ用ハンドルを取り付けるにあたって、容器本体を両手で挟む際にハンドルが邪魔にならないようにする点である。
【課題を解決するための手段】
【０００６】
請求項１の発明は、筒型の容器本体と、前記容器本体の開口に被着する栓体を有する飲料容器において、前記容器本体の両側面の上部に張り出し部をそれぞれ設けると共に、該張り出し部の下面に該容器本体が手から抜け落ち防止用の手指受け部をそれぞれ設け、前記容器本体の両側面の前方にそれぞれ手掛け用前部溝を上下方向に配置し、前記容器本体外周の両側面の後方にそれぞれ手掛け用後部溝を上下方向に配置し、一側の前記手掛け用前部溝と一側の前記手掛け用後部溝を結ぶ一側領域の上方に一側の前記張り出し部が設けられ、他側の前記手掛け用前部溝と他側の前記手掛け用後部溝を結ぶ他側領域の上方に他側の前記張り出し部が設けられることを特徴とする飲料容器である。
【０００７】
請求項２の発明は、筒型の容器本体と、前記容器本体の開口に被着する栓体を有する飲料容器において、前記容器本体の両側面の前方にそれぞれ手掛け用前部溝を上下方向に配置し、前記容器本体の両側面の後方にそれぞれ手掛け用後部溝を上下方向に配置し、前記手掛け用後部溝の溝幅より前記手掛け用前部溝の溝幅を大きく形成したことを特徴とする飲料容器である。
【０００８】
請求項３の発明は、前記手掛け用後部溝を前記両側面後方にそれぞれ複数前後に並設したことを特徴とする請求項１または２記載の飲料容器である。
【０００９】
請求項４の発明は、左右一対のアーム部を一体に設けその両端部に軸部を有するハンドルを、前記容器本体の両側面の前記張り出し部の上方に設置した軸受け部に取り付けて、前記ハンドルで前記容器本体を吊り下げ可能に回動自在に軸支すると共に、前記張り出し部の上面に、前記ハンドルの回動を規制するハンドル受け部を形成したことを特徴とする請求項１記載の飲料容器である。
【００１０】
請求項５の発明は、前記ハンドルの前記軸部から該ハンドルの先端寄りに屈曲部を設け、前記ハンドルを前方へ回動した際には、前記ハンドル屈曲部の基端側が前記容器本体の前記ハンドル受け部に当接すると共に、前記先端側が上向きとなり、前記容器本体及び栓体から離間した位置となるように配置し、前記ハンドルを後方に回動させた際に、前記屈曲部の軸部側が前記ハンドル受け部に当接すると共に、前記ハンドルの先端側が後方の下向きとなり、前記容器本体の後面側に添う位置となるように配置したことを特徴とする請求項４記載の飲料容器である。
【発明の効果】
【００１１】
請求項１の発明によれば、両側面を両手で挟むときに、両手の拇指丘を左右一対の手掛け用前部溝にそれぞれ掛けると共に、人差し指、中指などの先を手掛け用後部溝にそれぞれ掛けることにより、飲料容器を保持する力を両手で挟む力のみならず、拇指丘、指による引っ掛け力によっても容器本体を強力に保持することができ、また保持している手が抜け出たとしても、これを手指受け部により確実に係止して抜け落ち防止をすることができる。
【００１２】
請求項２の発明によれば、手掛け用前部溝においては手の拇指丘に合わせた形状に形成され、一方手掛け用後部溝においては、表面が先細な人指し指や中指などの指先に合わせた形状に形成される。
【００１３】
請求項３の発明によれば、個々人の保持操作の具合や好みに応じて人それぞれに指先を手掛け用後部溝へ沿わせることができる。
【００１４】
請求項４の発明によれば、ハンドルの回動を規制して持ち運び以外では容器本体を保持する手にハンドルが当ること防止するなどが可能となる。
【００１５】
請求項５の発明によれば、先端側を上向きとしてハンドルを握って飲料容器を釣り下げ支持する際に手指が容器本体や栓体にぶつかって干渉されることなどを防止できる。また、先端側を下向きとすると、容器本体の後方の手掛け用後部溝とハンドルとの間にスペースが確保され、容器本体を両手で保持した場合に手指がハンドルにぶつかり干渉されることがなくなる。
【発明を実施するための最良の形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
図１乃至図５は実施例１を示しており、両手Ｈで持てる大きさの飲料用容器は、ほぼ円筒状の外筒１Ａとその内側に配置される内筒間に断熱部（いずれも図示せず）を備えた断熱構造の容器本体１と、該容器本体１の上部開口（図示せず）に螺子結合や嵌着など適宜固定手段により着脱可能に被着される栓体２と、容器本体１に両端を回動自在に連結したハンドル３により構成されている。
【００１８】
前記栓体２は、容器本体１の外周とほぼ同じ外径の略円板状であって、上面の前部に筒状の飲み口或いは注ぎ口などの口部４を立設すると共に、該口部４の上方を開閉する蓋５とを備えている。尚、口部４は上面の中央或いは後部にあってもよい。蓋５はその基端を栓体２の上面のほぼ中央に回動軸部13である第１のヒンジ部６を介して起伏自在に設けられており、伏した状態で蓋５が口部４の上方を蓋裏にある止液材たるパッキン７を介して覆うようになっている。
【００１９】
尚、第１のヒンジ部６まわりには、蓋５が後ろ向きとなって開く状態を維持するように付勢する付勢手段が設けられている。実施例では蓋５の基端に突設し蓋５が後ろ向きになると蓋５と一体な弾性片８が上面に接して開蓋状態を維持するように構成されている。さらに蓋５の裏面に、閉蓋５時に下向きに突設すると共に先端が上面に圧接して蓋５を開方向に付勢するゴム等の弾性突起８Ａが設けられている。また、実施例では口部４を覆う蓋５を第１のヒンジ部６を介して開閉自在に設けたが、螺子キャップ式や着脱可能な嵌着方式などでもよい。
【００２０】
さらに、蓋５を伏した状態で該蓋５を、栓体２に着脱可能に固定するためのロック装置９は、栓体２の周側面に設けたロック部材10と、蓋５の先端面に設けたロック部材10が係止可能なロック受け部11によって構成される。
【００２１】
飲料容器を保持するとき人と対向する側を前部とした、実施例では前記口部４側を前側とした飲料容器において、容器本体１の左右両側面の上部に張り出し部12を鍔状に設ける。そして、この張り出し部12の上部には容器本体１の外周とほぼ同径で該容器本体１に一体に嵌着した円環状のリング部材12Ａが設けられており、リング部材12Ａに栓体２が着脱自在に設けられ、さらにリング部材12Ａの左右に、ハンドル３の両端に設けられる取り付け用の軸部13が配置されている。そして、張り出し部12の下面には該容器本体１が手Ｈから抜け落ち防止用の手指受け部14を水平な平坦面によって設けている。
【００２２】
さらに、容器本体１の左右両側面のそれぞれ前方、すなわち容器本体１の一側部と前部との間と、容器本体１の他側部と前部との間に手掛け用前部溝15をそれぞれ配置する。この手掛け用前部溝15は、上端15Ａをリング部材12Ａの近傍に配置すると共に下端15Ｂを容器本体１の底面１Ｂの近傍に配置するように上下方向に設けられている。また、手掛け用前部溝15は、手Ｈにおける手掌の端、すなわち手Ｈを構成する拇指丘Ｊ（親指Ｆ１の根元の膨らみ部）が嵌り込むように、その長手方向と直交する横断面は円弧状であってその幅Ａ及び曲率半径Ｂは後述する手掛け用後部溝のものより大きく形成される。
【００２３】
また、容器本体１外周の左右両側面のそれぞれ後方、すなわち容器本体１の一側部と後部との間と、容器本体１の他側部と後部との間に手掛け用後部溝16，17をそれぞれ配置する。この手掛け用後部溝16、17は、前後に第１の手掛け用後部溝16及び第２の手掛け用後部溝17を並べて配置したものであり、これら第１の手掛け用後部溝16及び第２の手掛け用後部溝17の上端16Ａ，17Ａをリング部材12Ａの近傍に配置すると共に下端16Ｂ，17Ｂを容器本体１の底面１Ｂの近傍に配置するように、上下方向に設けられている。また、第１の手掛け用後部溝16及び第２の手掛け用後部溝17は、手Ｈにおける指先が嵌り込むように、その長手方向と直交する横断面は円弧状であってその幅Ｃ及び曲率半径Ｄは手掛け用前部溝15のものより小さく形成される。
【００２４】
そして、一側の手掛け用前部溝15と一側の第２の手掛け用後部溝17とを結ぶ一側領域Ｘ、他側の手掛け用前部溝15と他側の第２の手掛け用後部溝17とを結ぶ他側領域Ｙの上方に、一側及び他側の手指受け部14がそれぞれ設けられる。
【００２５】
前記ハンドル３は、左右一対のアーム部19をその先端間に架設する架設部20を介して正面をＵ字状に一体に形成したものであり、アーム部19の基端側の相対する内面19Ａには回動用の軸部13を水平方向に内側へ突設している。そしてアーム部19は軸部13のある基端と先端との間に切り欠いて形成した内角Ｅを９０度と同等以上で１８０度より小さくした屈曲部21を介して先端を後退するように屈曲したものである。一方、容器本体１の両側部の前記張り出し部12の上方に軸受け部22を設け、この軸受け部22に軸部13を挿入することで、ハンドル３で飲料容器を吊り下げて回動自在に軸支している。そして、アーム部19における屈曲部21の内角Ｅを作る側における軸部13側の内角面23（内角Ｅ側に位置して軸部13近傍の面）と、内角Ｅを作る側と反対側で軸部13側の面（内角面23）と対向する外角面24（外角を作る側に位置して軸部13近傍の面）とは平行に形成されている。そして、軸部13の軸心と内角面23、外角面24とのそれぞれの距離は等しく形成されている。
【００２６】
さらに、張り出し部12の上面に、ハンドル３の回動を規制する前部ハンドル受け部25と後部ハンドル受け部26を形成する。前部ハンドル受け部25は、張り出し部12の前方向に水平に延長面を横向きにして形成したものであり、ハンドル３を前方へ回動した際には、ハンドル３の屈曲部21の軸部13側である外角面24が前部ハンドル受け部25に当接して係止することで、ハンドル３の先端側が斜め上向きに維持される。この結果、図５に示すように容器本体１及び栓体２から離間した位置となるようにハンドル３は配置される。また、後部ハンドル受け部26は、張り出し部12の後方向に水平に延長面を横向きにして形成したものであり、ハンドル３を後方に回動させた際に、屈曲部21の軸部13側である内角面23が後部ハンドル受け部26に当接すると共に、図４に示すようにハンドル３の先端側が後方の斜め下向きとなり、容器本体１の後面側に添う位置に維持される。
【００２７】
次に前記構成についてその作用を説明する。飲料を収容するときはハンドル３を後方に回動して内角面23を後部ハンドル受け部26に当接して、ハンドル３の先端側を後方の斜め下向きとして、容器本体１の後面側に添う位置に維持し、この結果栓体２の上方を開放する。次に栓体２を外して、上部開口より飲料を収容し、保冷する。
【００２８】
次に、栓体２を再び容器本体１に取り付ける。この際、蓋５はロック装置９を介して閉じており、口部４はパッキン７により封じられているので、飲料が漏れることはない。そして持ち運びするときは、ハンドル３を上向きに回動し、その後ハンドル３を握って使用する。この際、外角面24が前部ハンドル受け部25に当接して係止することで、ハンドル３の先端側が斜め上向きに維持される。
【００２９】
飲料を飲む場合は、まずロック部材10をロック受け部11より取り外して、ロック装置９を解除する。このような蓋５の閉じ状態を解除すると、蓋５閉により縮小していた弾性突起８Ａの反発力によって蓋５は第１のヒンジ部６を中心としてやや押し上げられる。そして蓋５を摘んで後方へ回動すると、付勢手段によって蓋５が開き続け、口部４が常時あらわれるようになる。
【００３０】
次に、飲料容器を持ち上げて顔の前に持ち上げ、口部４を横向きにし口部４に顔の口Ｍを近づけて飲料を飲む場合は、両手Ｈの拇指丘Ｊを左右一対の手掛け用前部溝15にそれぞれ掛けるようにする。この際、手掛け用前部溝15の溝幅は比較的大きく、しかも曲率半径も大きいので手Ｈを構成する拇指丘Ｊが手掛け用前部溝15に嵌り込むように挿入し、飲料容器の前面左右を両手Ｈの拇指丘Ｊで挟み込むように保持できる。一方、両手Ｈの親指Ｆ１、人指し指Ｆ２、中指Ｆ３等などの先を第１の手掛け用後部溝16及び第２の手掛け用後部溝17にそれぞれ指掛けする。この際、人指し指Ｆ２の先を手前に位置する第１の手掛け用後部溝16に指掛けし、後ろ側にある第２の手掛け用後部溝17に人指し指Ｆ２より長い中指Ｆ３等の先を指掛けする。この際、手掛け用後部溝の溝幅は比較的小さく、しかも曲率半径も小さいので人指し指Ｆ２、親指Ｆ１、中指Ｆ３等の先が第１の手掛け用後部溝16、第２の手掛け用後部溝17に嵌り込むように挿入し、飲料容器の後面左右を両手Ｈの指先で挟み込むように保持できる。このような両側面を両手Ｈで挟むようにして保持した容器本体１が仮に手Ｈから抜け落ちても手指受け部14に手Ｈが当たり、それ以上の抜け落ちを防止できる。
【００３１】
そして、飲料後においては蓋５を閉じて口部４を封ずることで液漏れを防止して飲料を保冷する。
【００３２】
以上のように、前記実施例においては容器本体１の両側面の上部に張り出し部12をそれぞれ設けると共に、張り出し部12の下面に容器本体１が手Ｈから抜け落ち防止用の手指受け部14をそれぞれ設け、容器本体１の両側面の前方にそれぞれ手掛け用前部溝15を上下方向に配置し、前記容器本体１外周の両側面の後方にそれぞれ手掛け用後部溝16，17を上下方向に配置し、一側の前記手掛け用前部溝15と一側の前記手掛け用後部溝16を結ぶ一側領域Ｘの上方に一側の前記張り出し部12が設けられ、他側の前記手掛け用前部溝15と他側の前記手掛け用後部溝16を結ぶ他側領域Ｙの上方に他側の前記張り出し部12が設けられることにより、両側面を両手Ｈで挟むようにして保持した容器本体１が手Ｈから抜け落ちても手指受け部14に手Ｈが当たり、それ以上の抜け落ちを確実に防止できる。また、両側面を両手Ｈで挟むときに、両手Ｈの拇指丘Ｊを左右一対の手掛け用前部溝15にそれぞれ掛けると共に、人指し指Ｆ２、中指Ｆ３等などの指先を、手掛け用前部溝15と前後に間隔をおいて形成される第１の手掛け用後部溝16、第２の手掛け用後部溝17にそれぞれ掛けることにより、飲料容器を保持する力を両手Ｈで挟む力のみならず、拇指丘Ｊ、人指し指Ｆ２、中指Ｆ３等による引っ掛け力によっても容器本体１を強力に保持することができ、この結果両手Ｈで保持するような比較的容量の大きい飲料容器であっても容易に保持することができる。しかも、拇指丘Ｊ、人指し指Ｆ２、中指Ｆ３等が手掛け用前部溝15と第１の手掛け用後部溝16及び第２の手掛け用後部溝17から滑り出しても、手指受け部14は手掛け用前部溝15と第２の手掛け用後部溝17とを結ぶ領域Ｘ，Ｙの上方に配置されているので、手掛け用前部溝15、第１の手掛け用後部溝16、第２の手掛け用後部溝17から拇指丘Ｊ、人指し指Ｆ２、中指Ｆ３等が抜け出たとしても、拇指丘Ｊ、人指し指Ｆ２、中指Ｆ３等は手指受け部14により確実に係止させて、抜け落ちを防止することができる。
【００３３】
また、容器本体１の両側面の前方にそれぞれ手掛け用前部溝15を上下方向に配置し、容器本体１の両側面の後方にそれぞれ第１の手掛け用後部溝16、第２の手掛け用後部溝17を上下方向に配置し、手掛け用後部溝16，17の溝幅Ｃより前記手掛け用前部溝15の溝幅Ａを大きく形成したことで、手掛け用前部溝15においては、表面がなだらかな曲面によって形成される手Ｈの拇指丘Ｊに合わせた形状に形成され、一方第１の手掛け用後部溝16、第２の手掛け用後部溝17においては、先細な人指し指Ｆ２、中指Ｆ３等の指先に合わせた形状に形成されるので、手指の容器本体１への引っ掛かりを隙間なく確実に行うことができる。
【００３４】
さらに、側面後方に複数前後に第１の手掛け用後部溝16、第２の手掛け用後部溝17を間隔をおいて或いは間隔をおかないで並設したことにより、第１の手掛け用後部溝16に人指し指Ｆ２を掛けると共に第２の手掛け用後部溝17に中指Ｆ３等を掛けたり、或いは女性や子供のような手Ｈが小さい人の場合には人指し指Ｆ２、中指Ｆ３等の指先を第１の手掛け用後部溝16にのみ掛けたり、さらには大きな手Ｈの人の場合には人指し指Ｆ２、中指Ｆ３等の指先を第２の手掛け用後部溝17にのみ掛けたりすることができるので、個々人の保持操作の具合や好みに応じて人それぞれに指先を第１の手掛け用後部溝16、第２の手掛け用後部溝17へ沿わせることができる。
【００３５】
また、左右一対のアーム部19を一体に設けその両端部に軸部13を有するハンドル３を、容器本体１の両側面の張り出し部12の上方に設置した軸受け部22に取り付けて、ハンドル３で容器本体１を吊り下げ可能に回動自在に軸支すると共に、張り出し部12の上面に、ハンドル３の回動を規制するハンドル受け部25，26を形成したことにより、ハンドル３の回動を規制して持ち運び以外では容器本体１を保持する手Ｈにハンドル３が当ること防止するなど邪魔にならないようにすることができる。
【００３６】
しかも、ハンドル３の軸部13からハンドル３の先端寄りに屈曲部21を設け、ハンドル３を前方へ回動した際には、屈曲部21の基端側が容器本体１の前部ハンドル受け部25に当接すると共に、先端側が斜め上向きとなり、容器本体１及び栓体２から離間した位置となるように配置したことにより、ハンドル３を握って飲料容器を吊り下げ支持する際に手指が容器本体１や栓体２にぶつかって干渉されることなく、容易に吊り下げ操作を行うことができる。さらに、ハンドル３の軸部13からハンドル３の先端寄りに屈曲部21を設け、ハンドル３を後方に回動させた際に、屈曲部21の軸部13側が後部ハンドル受け部26に当接すると共に、ハンドル３の先端側が後方の斜め下向きとなり、容器本体１の後面側に添う位置となるように配置したことにより、容器本体１の後方の第１の手掛け用後部溝16、第２の手掛け用後部溝17とハンドル３との間にスペースが確保され、容器本体１を両手Ｈで保持した場合に手指がハンドル３にぶつかり干渉されることがなく、確実な保持を行うことができる。
【実施例２】
【００３７】
図６は実施例２を示しており、前記実施例１と同一部分には同一符号を付し、その詳細な説明を省略する。
【００３８】
実施例２は、容器本体１の上部開口に栓体２を着脱自在に設け、飲料の出し入れにあっては栓体２を容器本体１から外して使用するものである。尚、このような飲料容器の前部とは実施例１においても同様であるが、飲料容器を人が保持するとき、人と対向する面側が前部であり、飲料容器の後部とは前部の反対側となる。
【００３９】
したがって、両側面を両手で挟むときに、両手の拇指丘を左右一対の手掛け用前部溝15にそれぞれ掛けると共に、人指し指、中指等などの先を第１の手掛け用後部溝16、第２の手掛け用後部溝17にそれぞれ掛けることにより、飲料容器を保持する力を両手で挟む力のみならず、拇指丘、人指し指、中指等による引っ掛け力によっても容器本体を強力に保持することができる。
【産業上の利用可能性】
【００４０】
以上のように本発明にかかる飲料容器は各種の用途に適用できる。
【図面の簡単な説明】
【００４１】
【図１】本発明の実施例１を示す使用状態の斜視図である。
【図２】本発明の実施例１を示す置いた状態の斜視図である。
【図３】本発明の実施例１を示す底面図である。
【図４】本発明の実施例１を示すハンドルを後ろ側にした状態の側面図である。
【図５】本発明の実施例１を示すハンドルを前側にした状態の側面図である。
【図６】本発明の実施例２を示す斜視図である。
【符号の説明】
【００４２】
１  容器本体
３  ハンドル
12  張り出し部
13  軸部
14  手指受け部
15  手掛け用前部溝
16  第１の手掛け用後部溝
17  第２の手掛け用後部溝
19  アーム部
21  屈曲部
22  軸受け部
25  26  ハンドル受け部
Ａ  Ｃ  溝幅
Ｘ  Ｙ  領域
【図１】
2007217041.tif 000003
【図２】
2007217041.tif 000004
【図３】
2007217041.tif 000005
【図４】
2007217041.tif 000006
【図５】
2007217041.tif 000007
【図６】
2007217041.tif 000008